(57)【要約】 【構成】上蓋と下蓋を開閉可能にし、印鑑を収納する印鑑収納部と朱肉部を設けた印鑑ケースにおいて、上蓋若しくは下蓋のどちらか一方に、切欠部を有する台座板と該台座板の真下の位置に係止用凹部を設け、くびれ状の係合部と係合片とからなる係合基部を有した朱肉皿を備え、前記係合片の端部を前記係止用凹部に当接した状態で朱肉皿を切欠溝の方向に回転させ、前記台座板と前記係合基部が着脱自在に嵌着されることにより、前記朱肉皿と前記台座板も着脱自在になることを特徴とする印鑑ケース。【効果】朱肉皿の周縁部を手等により摘んで台座板に嵌着することで、朱肉皿は上方に抜け止め状に構成されるため、不用意に朱肉皿が外れてしまうようなことがない。【選択図】            図２
2005047144.tif 000002
【特許請求の範囲】
【請求項１】
上蓋と下蓋を開閉可能にし、印鑑を収納する印鑑収納部と朱肉部を設けた印鑑ケースにおいて、上蓋若しくは下蓋のどちらか一方に、切欠部を有する台座板と該台座板の真下の位置に係止用凹部を設け、くびれ状の係合部と係合片とからなる係合基部を有した朱肉皿を備え、前記係合片の端部を前記係止用凹部に当接した状態で朱肉皿を切欠溝の方向に回転させ、前記台座板と前記係合基部が着脱自在に嵌着されることにより、前記朱肉皿と前記台座板も着脱自在になることを特徴とする印鑑ケース。
【発明の詳細な説明】
【技術分野】
【０００１】
本発明は、交換可能な朱肉皿を有する印鑑ケースに関するものである。
【背景技術】
【０００２】
従来、印鑑ケースは印肉（印じょく体）を一種類で固定して取り替え不可能なものであった。こうした印鑑ケースの先願には、実開昭５５−１０７１３号（以下、（イ）とする。）があり、印肉（印じょく体）を印鑑ケースに嵌め込む方法である。
こうした印鑑ケースは印肉（印じょく体）が使用不可能になれば、ケース自体が使用できなくなるといった問題を持っていた。こうした事を解決するために、例えば先願には実開昭５０−２７９１４号（以下、(ロ)とする。）がある。
（ロ）は、回転防止、抜け防止の山と溝により構成されており、その山と溝の嵌め合いによる圧入嵌合であって、この方法の場合、印肉入の取り外しは、印肉入の周囲を掴んで抜き取る方法による。そうした場合、（ロ）が記載しているように、印肉入とケースを容易に取り外すことができるようになるため、（ロ）は印肉入を取替えることができる機能を有している。
【特許文献１】実開昭５５−１０７１３号（第１頁、第１図−第２図）
【特許文献２】実開昭５０−２７９１４号（第１頁、第１図−第２図）
【発明の開示】
【発明が解決しようとする課題】
【０００３】
しかしながら前記取替式印肉入では、（ロ）が記載しているように、印肉入とケースを容易に取り外すことができるようにはなるが、その反面、印鑑に印肉を付着させる際に、印肉の粘着力によって印鑑と印肉が密着し印肉入れが外れてしまったり、また予期せぬ脱落方向への力によって、不用意に印肉入れが外れてしまう等の問題があった。
【０００４】
本発明は、上記従来技術の問題点に着目してなされたもので、印鑑に印肉を付着させる際に、印肉の粘着力によって印鑑と印肉が密着し印肉入れが外れてしまうようなことや、予期せぬ脱落方向への力によって不用意に印肉入れが外れてしまうようなことのない印鑑ケースを提供することを目的とする。
【課題を解決するための手段】
【０００５】
上蓋と下蓋を開閉可能にし、印鑑を収納する印鑑収納部と朱肉部を設けた印鑑ケースにおいて、上蓋若しくは下蓋のどちらか一方に、切欠部を有する台座板と該台座板の真下の位置に係止用凹部を設け、くびれ状の係合部と係合片とからなる係合基部を有した朱肉皿を備え、前記係合片の端部を前記係止用凹部に当接した状態で朱肉皿を切欠溝の方向に回転させ、前記台座板と前記係合基部が着脱自在に嵌着されることにより、前記朱肉皿と前記台座板も着脱自在になることを特徴とする印鑑ケースである。
【発明の効果】
【０００６】
本発明の印鑑ケースでは、朱肉皿を台座板に着脱自在に取付ける構成にすることにより朱肉皿が交換可能となる。その際、朱肉皿の周縁部を手等により摘んで嵌着することで朱肉皿は上方に抜け止め状に構成されるため、不用意に朱肉皿が外れてしまうようなことがない。また、朱肉皿を着脱自在として交換可能としたことにより、インク補充の必要性がなくなるので、補充するインクにより手や衣服、その他周辺を汚す恐れもない。
【発明を実施するための最良の形態】
【０００７】
以下、本発明を実施するための最良の形態を説明する。
【実施例１】
【０００８】
まず、本発明第１の実施例を図１〜図６を基に詳細に説明する。本発明第１の実施例に係る印鑑ケースは、上蓋１の一側縁と下蓋２の一側縁とを蝶着する蝶着部７を設ける一方、この蝶着部７とは反対側に設けた口金５、６によって上蓋１と下蓋２を自由に開閉可能にしてある。上蓋１及び下蓋２は熱硬化性または熱可塑性の合成樹脂によって略かまぼこ形に成形され、内部には印鑑収納部３ａ、３ｂが形成されている。蝶着部７は、上蓋１及び下蓋２の各一側縁にそれぞれ突出形成された円筒部８ａ、８ｂ及び９ａ、９ｂと、これら円筒部８ａ、８ｂ及び９ａ、９ｂ内を貫通するピン１０とで構成されている。下蓋２には、印鑑収納部３ｂに隣接して台座板１１を取着させる。台座板１１は平板で、一側縁に切欠溝１２を有している。切欠溝１２の内周面には凸状の係合突起１２ａを設ける。台座板１１には朱肉部４を収容した朱肉皿１３が着脱自在に嵌着される。朱肉皿１３の下面には係合基部１６を有し、係合基部１６は略半円状の係合片１４と、係合片１４と朱肉皿１３を繋ぐくびれ状の係合部１５で構成されている。係合部１５は、台座板１１の切欠溝１２に対応する形状で、切欠溝１２に設けた係合突起１２ａと係合自在となる。下蓋２の内面には、下蓋２に取着させた台座板１１の真下の位置に、係合片１４の下端部に対応する形状の係止用凹部１７を設ける。
【０００９】
この朱肉皿１３の取付け方法は、朱肉皿１３を斜めに傾けた状態で、係合片１４の下端部を係止用凹部１７に挿入し、当接させる。そして、係合片１４の下端部を係止用凹部１７に当接した状態で朱肉皿１３を切欠溝１２の方向に回転させる。すると、切欠溝１２に設けた係合突起１２ａを係合部１５が乗り越えて係合部１５と切欠溝１２の奥端部が当接し、該当接点と、係合突起１２ａと係合部１５の係合点とによって朱肉皿１３は台座板１１に係止される。同時に、係合片１４の上面と台座板１１の下面が係合状態となり、朱肉皿１３は上方に抜け止め状となる。これにより、朱肉皿１３の取付けが完了する。
【００１０】
ここで、台座板１１は上蓋１または下蓋２のどちらか一方に取着させればよく、朱肉皿１３の形状は円形状や四角形状等任意の形状でよい。切欠溝１２の形状は、四角形状、円弧状等任意の形状でよく、その際係合部１５は切欠溝１２に対応する形状とする。係合突起１２ａを設ける位置は、係合部１５が切欠溝１２と嵌着可能であれば、切欠溝１２内周面の開口部先端に限らず内周面であってもよい。係合片１４の形状は、半円形状、半楕円形状、四角形状等任意の形状でよい。台座板１１を下蓋２へ取着させる方法は、接着や嵌合等任意の方法でよい。また、台座板１１と下蓋２が一部品で構成されてもよい。係合用凹部１７は、係合片１４の下端部が当接して支点となり得る構成であればよいため、突起部等で囲って構成されてもよい。
【００１１】
次に作用について説明する。
印鑑ケースの朱肉皿１３を交換する場合には、台座板１１の上面に嵌着している朱肉皿１３の周縁部を摘んで横に倒す。すると、切欠溝１２に設けた係合突起１２ａと係合部１５の係合状態が解かれ、その状態で朱肉皿１３を取出す。このようにして古い朱肉皿１３を抜き取った後、新しい朱肉皿１３を台座板１１に取り付ける方法は、朱肉皿１３を斜めに傾けた状態で、係合片１４の下端部を係止用凹部１７に挿入し、当接させる。そして、係合片１４の下端部を係止用凹部１７に当接した状態で朱肉皿１３を切欠溝１２の方向に回転させる。すると、切欠溝１２に設けた係合突起１２ａを係合部１５が乗り越えて、係合片１４の上面と台座板１１の下面が係合状態となり、朱肉皿１３は上方に抜け止め状となる。これにより、新しい朱肉皿１３の取付けが完了する。
【００１２】
このように、係合片１４の上面と台座板１１の下面が係合状態となり、朱肉皿１３は上方に抜け止め状となるため、印鑑に朱肉を付着させる際に、朱肉の粘着力によって印鑑と朱肉が密着し朱肉皿が外れてしまうようなことや、予期せぬ脱落方向への力によって不用意に朱肉皿が外れてしまうようなことがない。また、朱肉皿１３を着脱自在として交換可能としたことにより、インク補充の必要性がなくなるので、補充するインクにより手や衣服、その他周辺を汚す恐れもない。
【実施例２】
【００１３】
本発明第２の実施例を図７〜図１２を基に詳細に説明する。
本発明第２の実施例に係る印鑑ケースは、本発明第１の実施例のうち、台座板１１の下面に係合突起１１ａを設け、係合片１４の肩部に係合突起１４ａを設ける。係合突起１１ａと係合突起１４ａは互いに係合自在となるような形状であればよく、係合突起１１ａを設ける位置は、係合突起１４ａと係合可能であれば、台座板１１の下面一側縁の先端に限らず、反対側面寄りに設けてもよい。
【００１４】
朱肉皿１３の取付け方法は、朱肉皿１３を斜めに傾けた状態で、係合片１４の下端部を係止用凹部１７に挿入し、当接させる。そして、係合片１４の下端部を係止用凹部１７に当接した状態で朱肉皿１３を切欠溝１２の方向に回転させる。すると、台座板１１の下面に設けた係合突起１１ａを係合片１４の肩部に設けた係合突起１４ａが乗り越えて係合部１５と切欠溝１２の奥端部が当接し、該当接点と、係合突起１１ａと係合突起１４ａの係合点とによって朱肉皿１３は台座板１１に係止される。同時に、係合突起１４ａの上面と台座板１１の下面が係合状態となり、朱肉皿１３は上方に抜け止め状となる。これにより、朱肉皿１３の取付けが完了する。
【００１５】
次に作用について説明する。
印鑑ケースの朱肉皿１３を交換する場合には、台座板１１の上面に嵌着している朱肉皿１３の周縁部を摘んで横に倒す。すると、台座板１１の下面に設けた係合突起１１ａと係合片１４の肩部に設けた係合突起１４ａの係合状態が解かれ、その状態で朱肉皿１３を取出す。このようにして古い朱肉皿１３を抜き取った後、新しい朱肉皿１３を台座板１１に取り付ける方法は、朱肉皿１３を斜めに傾けた状態で、係合片１４の下端部を係止用凹部１７に挿入し、当接させる。そして、係合片１４の下端部を係止用凹部１７に当接した状態で朱肉皿１３を切欠溝１２の方向に回転させる。すると、台座板１１の下面に設けた係合突起１１ａを係合片１４の肩部に設けた係合突起１４ａが乗り越えて、係合突起１４ａの上面と台座板１１の下面が係合状態となり、朱肉皿１３は上方に抜け止め状となる。これにより、新しい朱肉皿１３の取付けが完了する。
【００１６】
このように、係合片１４の上面と台座板１１の下面が係合状態となり、朱肉皿１３は上方に抜け止め状となるため、印鑑に朱肉を付着させる際に、朱肉の粘着力によって印鑑と朱肉が密着し朱肉皿が外れてしまうようなことや、予期せぬ脱落方向への力によって不用意に朱肉皿が外れてしまうようなことがない。また、朱肉皿１３を着脱自在として交換可能としたことにより、インク補充の必要性がなくなるので、補充するインクにより手や衣服、その他周辺を汚す恐れもない。
【図面の簡単な説明】
【００１７】
【図１】本発明第１の実施例の平面図。
【図２】本発明第１の実施例の朱肉皿を外した状態の平面図。
【図３】本発明第１の実施例の朱肉皿の正面図。
【図４】本発明第１の実施例の朱肉皿を切欠溝に嵌着した状態を示す横断面説明図。
【図５】本発明第１の実施例の朱肉皿を切欠溝に嵌着した状態を示す縦断面図。
【図６】本発明第１の実施例の朱肉皿を斜めに傾けた状態を示す説明図。
【図７】本発明第２の実施例の朱肉皿の正面図。
【図８】本発明第２の実施例の朱肉皿の右側面図。
【図９】本発明第２の実施例の朱肉皿を切欠溝から外した状態を示す縦断面図。
【図１０】本発明第２の実施例の朱肉皿を切欠溝に嵌着した状態を示す説明図。
【図１１】本発明第２の実施例の朱肉皿を切欠溝に嵌着した状態を示す縦断面図。
【図１２】本発明第２の実施例の朱肉皿を斜めに傾けた状態を示す説明図。
【符号の説明】
【００１８】
１      上蓋
２      下蓋
３ａ、３ｂ  印鑑収納部
４      朱肉部
５、６  口金
７      蝶着部
８、９  円筒部
１０      ピン
１１      台座板
１１ａ    係合突起
１２      切欠溝
１２ａ    係合突起
１３      朱肉皿
１４      係合片
１４ａ    係合突起
１５      係合部
１６      係合基部
１７      係止用凹部
【図１】
2005047144.tif 000003
【図２】
2005047144.tif 000004
【図３】
2005047144.tif 000005
【図４】
2005047144.tif 000006
【図５】
2005047144.tif 000007
【図６】
2005047144.tif 000008
【図７】
2005047144.tif 000009
【図８】
2005047144.tif 000010
【図９】
2005047144.tif 000011
【図１０】
2005047144.tif 000012
【図１１】
2005047144.tif 000013
【図１２】
2005047144.tif 000014